(57)【特許請求の範囲】
【請求項１】
容器天板の開口部に取り付けられ、口栓本体と該口栓本体の下面に配置される封止フィルムとにより構成される口栓であって、
前記口栓本体が、環状部と上面に保持突起を有する板状部とからなる台座板と、この台座板の板状部の口栓の中心方向の端部に直線状のハーフカット線を介して連設され、上方に立設された支柱の上端の中心方向寄りに位置する、前記台座板の環状部の開口部に挿設される周縁に下方に向けて複数個の鋭角突起を有する押圧板と、該押圧板に連設し、前記支柱の上端の端縁寄りに位置する、台座板と平行に設けられ、前記保持突起と当接しこの保持突起と支柱との間に両側端にわたる直線状のハーフカット線が形成された第２台座板と、からなるプラスチック製のステイオンタブ方式イージーオープン口栓であって、
前記台座板の環状部の周縁に複数個の上方に向けて突出する押圧板落ち込み防止用リブが設けられ、
前記台座板に設けられた鋭角突起に、外方に向けて膨出部を形成させると共に、前記台座板の環状部の周縁の押圧板落ち込み防止用リブが設けられているとは別の位置に、複数個の上方に突出し先端が内方に延びる跳ね上がり防止用のリブが設けられていることを特徴とするプラスチック製のステイオンタブ方式イージーオープン口栓。
【請求項２】
前記台座板の環状部の周縁に、前記押圧板落ち込み防止用リブと跳ね上がり防止用リブの双方が複数個設けられていることを特徴とする請求項１または２記載のプラスチック製のステイオンタブ方式イージーオープン口栓。
【発明の詳細な説明】
【０００１】
【発明の属する技術分野】
本発明は、飲料用容器として使用される紙を主体とする複合容器またはプラスチック製容器の天板等に取り付けられるステイオンタブ方式イージーオープン口栓に関する。
【０００２】
【従来の技術】
従来、金属製の飲料用容器の天板には、缶切りなどの助けを必要とぜずに開口できるイージーオープン蓋が便利さから広く利用されていた。また、近年では、容器から切り離されたタブが散乱して危険性があるため、開缶してもタブが容器から分離しないステイオンタブ方式イージーオープン蓋が一般的に使用されている。また、プラスチック製容器または紙を主体とする複合容器にも、この金属製のステイオンタブ方式イージーオープン蓋が使用されていた。
【０００３】
【発明が解決しようとする課題】
しかしながら、近年の容器包装のリサイクル促進の観点から、使用後の容器の分別回収をし易くするために、プラスチック製容器または紙を主体とする複合容器の天板に取り付ける金属製に代わるステイオンタブ方式イージーオープン口栓の開発が強く求められるようになってきた。
【０００４】
そこで発明者らは、鋭意開発に努め、プラスチック製のステイオンタブ方式イージーオープン口栓を特開平１０−１６７２４９号公報として開示した。
この発明は、図４（ａ）、（ｂ）に示すように、口栓本体１００が、環状部と保持突起１１３を上面にもつ板状部とからなる台座板１１０と、この台座板の板状部の口栓の中心方向の端部に直線状のハーフカット線１１２を介して連設し、外周に複数個の鋭角突起１２１、１２１、１２１をもち台座板の環状部の開口部１１１に挿設する押圧タグ１２０と、この押圧タグの前記口栓の中心方向の端縁部の上面に支柱１２２を突設し、この支柱の上端に連設して下面を台座板の板状部の保持突起と当接し、この保持突起と前記支柱との間に両側端にわたる直線状のハーフカット線１３１を形成する開封棹１３０とからなるものである。
【０００５】
すなわち、このプラスチック製のステイオンタブ方式イージーオープン口栓は、鋭角突起１２１が押圧タグ１２０の外周に水平方向に設けられているため、封止フィルムがアルミニウム箔を含んだ複合フィルムの場合には問題ないものの、アルミニウム箔を含まない、例えば、金属蒸着フィルムや無機化合物蒸着フィルムを含んだ複合フィルムの場合には、封止フィルムを切断することが困難であった。
【０００６】
本発明は、特開平１０−１６７２４９号公報におけるこのような問題点を解決し、アルミニウム箔を含まない封止フィルムを使用した複合容器に関しても使用可能なプラスチック製のステイオンタブ方式イージーオープン口栓を提供することを目的とする。
【０００７】
【課題を解決するための手段】
本発明の第１の発明は、容器天板の開口部に取り付けられ、口栓本体と該口栓本体の下面に配置される封止フィルムとにより構成される口栓であって、前記口栓本体が、環状部と上面に保持突起を有する板状部とからなる台座板と、この台座板の板状部の口栓の中心方向の端部に直線状のハーフカット線を介して連設され、上方に立設された支柱の上端の中心方向寄りに位置する、前記台座板の環状部の開口部に挿設される周縁に下方に向けて複数個の鋭角突起を有する押圧板と、該押圧板に連設し、前記支柱の上端の端縁寄りに位置する、台座板と平行に設けられ、前記保持突起と当接しこの保持突起と支柱との間に両側端にわたる直線状のハーフカット線が形成された第２台座板と、からなるプラスチック製のステイオンタブ方式イージーオープン口栓であって、前記台座板の環状部の周縁に複数個の上方に向けて突出する押圧板落ち込み防止用リブが設けられ、前記台座板に設けられた鋭角突起に、外方に向けて膨出部を形成させると共に、前記台座板の環状部の周縁の押圧板落ち込み防止用リブが設けられているとは別の位置に、複数個の上方に突出し先端が内方に延びる跳ね上がり防止用のリブが設けられていることを特徴とするプラスチック製のステイオンタブ方式イージーオープン口栓である。
【０００８】
また、第２の発明は、第１の発明において、前記台座板の環状部の周縁に、前記押圧板落ち込み防止用リブと跳ね上がり防止用リブの双方が複数個設けられていることを特徴とするプラスチック製のステイオンタブ方式イージーオープン口栓である。
【００１０】
上記のように本発明によれば、鋭角突起が下方に向けて形成されているため、アルミニウム箔を用いない封止フィルムに対しても容易に切断可能となる。
また、台座板の環状部の周縁に複数個の上方に突出する押圧板落ち込み防止用リブが設けられているので、押圧板に不意に圧力がかかっても、リブがストッパーとなって鋭角突起が封止フィルムに接触することはない。
【００１１】
さらに、台座板の設けられた鋭角突起に、外方に向けて膨出部を形成させると共に、前記台座板に複数個の上方に突出し先端が内方に延びる跳ね上がり防止用リブが設けられているので、台座板に圧力がかかっても、鋭角突起は押圧板落ち込み防止用リブに保護されて、台座板は一定高さを維持できる。
【００１２】
【発明の実施の形態】
以下実施例により本発明を詳細に説明する。
本発明のステイオンタブ方式イージーオープン口栓は、例えば、図１（ａ）、（ｂ）に示すように、口栓本体１と口栓本体の下面に配置された封止フィルム２とから構成され、容器天板３の開口部４に取り付けられている。
【００１３】
口栓本体１は、熱可塑性合成樹脂を用い射出成形法により作製したものであるが、熱可塑性合成樹脂は、食品適性を有し、封止フィルムを突き破ることが可能であれば、ポリエチレン、ポリプロピレン等何でも良いが、特に、天板との溶着適性、加工性の容易なこと等を考慮すると、高密度ポリエチレン樹脂が好ましく使用できる。
【００１４】
また、封止フィルム２は、通常積層フィルムで、アルミニウム箔、金属蒸着フィルム、無機化合物蒸着フィルム、ガスバリア性樹脂フィルムなどのバリア層の両面に、口栓本体または容器の天板と熱融着する樹脂層を形成したものである。
【００１５】
口栓本体１の構造は、例えば、つぎに記すようなものである。
すなわち、図１（ａ）、（ｂ）に示すように、先ず、環状部と上面に保持突起１１を有する板状部とからなる台座板１２と、台座板の板状部の口栓の中心方向の端部に直線状のハーフカット線１３を介して連設され、上方に立設された支柱１４の上端の中心方向寄りに位置して台座板の環状部の開口部に挿設される、周縁に下方に向けて三角錐状の複数個の鋭角突起１５、１５、…を有する押圧板１６と、押圧板に連設し、前記支柱１４の上端の端縁寄りに位置する、台座板１２と平行に設けられ、前記保持突起１１と当接し保持突起１１と支柱１４の間に両側端にわたる直線状のハーフカット線１７が形成された第２台座板１８とから構成される。
【００１６】
なお、押圧板１６は親指で押圧し易いように、通常、上面を凹状に形成し、台座板の板状部上面に設ける保持突起１１の形状は、第２台座板の口栓の外側方向の端部の形状に合わせ、また、２つにハーフカット線１３、１７は上方よりＶ字状切り込みを設けて形成するものである。
【００１７】
台座板１２の環状部の周縁には、通常３個の複数個の上方に向けて突出する押圧板落ち込み防止用リブ１９が設けられている。
押圧板落ち込み防止用リブ１９を設けることにより、押圧板に力が加わっても押圧板落ち込み防止用リブ１９が鋭角突起に接触しており、押圧板のストッパーとなり、鋭角突起１５が封止フィルム２に当たることがない。
【００１８】
台座板１２の環状部の周縁の押圧板落ち込み防止用リブ１９が設けられている位置とは別の周縁に、通常、相対する周縁に１個ずつの上方に突出し先端が内方に延びた跳ね上がり防止用のリブ２０を設けても良い。
【００１９】
この場合、鋭角突起１５には、外方に向けて突出した膨出部２１を形成させておく（図３参照）。そして鋭角突起の膨出部２１は、跳ね上がり防止用のリブ２０の内方に延びた先端に保持されるよう設計しておく。
こうすることにより、押圧板１２が跳ね上がることを防止できる。
【００２０】
図１（ａ）、（ｂ）に示すように、台座板１２の環状部の周縁に、押圧板落ち込み防止用リブ１９と跳ね上がり防止用リブ２０を複数個設けておくと、押圧板に落下や振動等によって力が加わった場合でも、押圧板は容易には動かないので一定高さを保つことができ、鋭角突起が封止フィルムに当たることがない。
【００２１】
そして、口栓本体の下面に封止フィルムを配置して、本発明のステイオンタブ方式イージーオープン口栓をプラスチック缶や紙を主体とする複合容器などの容器天板の開口部に取り付ける方法は、例えば、図１（ｂ）に示すように、容器天板３の下面に、封止フィルム２を熱融着や接着剤を用いて貼着して容器天板の開口部４を封止したのち、容器天板の上面に口栓本体１の台座板１２の周縁を超音波シール法などで熱融着して、口栓本体を容器天板の開口部に取り付ければ良い。
【００２２】
容器の開封はつぎのように行う。
すなわち、図１（ｂ）、図２に示すように、第２台座板１８の端部を人指し指の爪などで起こしながら、親指で押圧板１６を容器内に押し込むと、落ち込み防止用リブ１９は鋭角突起１５からはずれ、押圧板と台座板１２、第２台座板１８とがハーフカット線１３、１７で折れ曲がり、押圧板の周縁に設けられた複数個の鋭角突起１５、１５、…が下方に配置された封止フィルム２に接触して、封止フィルムを破り容器が開封できる。
【００２３】
また、同時に第２台座板１８は、ハーフカット線１７で三角状に折れ曲がり、第２台座板の端部が口栓方向に移動する。そして、押圧板１６を容器天板に対してほぼ直角に容器内に押し込んだ時点では、第２台座板１８の端部が台座板の保持突起１１の口栓内側側面に落ち込んで嵌着し、押圧板が容器天板に対してほぼ直角に容器内で保持される。
【００２４】
【発明の効果】
上記のように本発明のプラスチック製のステイオンタブ方式イージーオープン口栓は、鋭角突起が押圧板の周縁に下方に向けて設けられているので、アルミニウム箔を使用しない封止フィルムにも使用可能となった。
容器の天板にのみならず、底板、側板にも適用することができる。
【図面の簡単な説明】
【図１】（ａ）本発明の一実施例のステイオンタブ方式イージーオープン口栓を取り付けた容器天板の平面説明図であり、（ｂ）はそのＡ−Ａ’線断面説明図である。
【図２】図１の口栓を開口したときの状態を示す断面説明図である。
【図３】跳ね上がり防止用リブの拡大断面説明図である。
【図４】（ａ）従来のステイオンタブ方式イージーオープン口栓を取り付けた容器天板の平面説明図であり、（ｂ）はそのＡ−Ａ’線断面説明図である。
【符号の説明】
１‥‥口栓本体
２‥‥封止フィルム
３‥‥容器天板
４‥‥開口部
１１‥‥保持突起
１２‥‥台座板
１３、１７‥‥ハーフカット線
１４‥‥支柱
１５‥‥鋭角突起
１６‥‥押圧板
１８‥‥第２台座板
１９‥‥押圧板落ち込み防止用リブ
２０‥‥跳ね上がり防止用リブ
１００‥‥口栓本体
１１０‥‥台座板
１１１‥‥開口部
１１２、１３１‥‥ハーフカット線
１１３‥‥保持突起
１２０‥‥押圧タグ
１２１‥‥鋭角突起
１２２‥‥支柱
１３０‥‥開封棹
２００‥‥封止フィルム
【図１】
0003799881.tif 000002
【図２】
0003799881.tif 000003
【図３】
0003799881.tif 000004
【図４】
0003799881.tif 000005